(57)【要約】【課題】実行された予告が分かりづらくなってしまうことによる遊技の趣向性低下を抑制することが可能な遊技機を提供すること。【解決手段】当否判定結果を報知する一連の報知演出中に、当該当否判定結果が当たりとなる蓋然性を示す種々の予告が発生する可能性がある遊技機であって、前記報知演出の開始から所定時点までに発生する可能性がある予告として複数種の候補予告が設定されており、ある当否判定結果を報知する前記報知演出での前記候補予告の発生の状況を前記所定時点の経過後に表示する予告表示演出が実行可能である遊技機１とする。【選択図】図４
2018082946.tif 000002
【特許請求の範囲】
【請求項１】
当否判定結果を報知する一連の報知演出中に、当該当否判定結果が当たりとなる蓋然性を示す種々の予告が発生する可能性がある遊技機であって、
前記報知演出の開始から所定時点までに発生する可能性がある予告として複数種の候補予告が設定されており、
ある当否判定結果を報知する前記報知演出での前記候補予告の発生の状況を前記所定時点の経過後に表示する予告表示演出が実行可能であることを特徴とする遊技機。
【請求項２】
前記予告表示演出にて表示された前記候補予告の発生の状況を変化させた上で、当該変化に合わせて複数種の事後予告のうちのいずれかを発生させる予告変化演出が実行可能であることを特徴とする請求項１に記載の遊技機。
【請求項３】
前記複数種の事後予告には、その基本的態様が対応する候補予告と同じである同種予告が含まれることを特徴とする請求項２に記載の遊技機。
【請求項４】
前記複数種の事後予告には、その基本的態様が対応する候補予告と異なるものであって、当該対応する候補予告に相当するものであると遊技者が認識可能な代替予告が含まれることを特徴とする請求項２に記載の遊技機。
【請求項５】
遊技者に当否判定結果を示すための識別図柄が表示される主表示装置と、
前記主表示装置とは異なる副表示装置と、
を備え、
前記副表示装置を用いた前記代替予告が発生する場合があることを特徴とする請求項４に記載の遊技機。
【発明の詳細な説明】
【技術分野】
【０００１】
本発明は、遊技機に関する。
【背景技術】
【０００２】
多くの遊技機では、ある当否判定結果を報知する一連の報知演出中に、当該当否判定結果が当たりとなる蓋然性を示唆する種々の予告が実行される（例えば下記特許文献１等参照）。遊技者は、多種多様な予告の実行の有無や予告の内容をみつつ、対象の当否判定結果が当たりとなる蓋然性が高いかどうかを考えつつ遊技を楽しむことになる。
【先行技術文献】
【特許文献】
【０００３】
【特許文献１】特開２０１４−１３６０２６号公報
【発明の概要】
【発明が解決しようとする課題】
【０００４】
実行される予告の種類が多くなったり、予告の内容が複雑であったりすると、遊技者は、どの予告が実行されたのか、実行された予告の内容がどのようなものであったか等、既に実行された予告の状況等が分かりづらくなってしまう（忘れてしまう）おそれがある。
【０００５】
本発明が解決しようとする課題は、実行された予告が分かりづらくなってしまうことによる遊技の趣向性低下を抑制することが可能な遊技機を提供することにある。
【課題を解決するための手段】
【０００６】
上記課題を解決するためになされた本発明にかかる遊技機は、当否判定結果を報知する一連の報知演出中に、当該当否判定結果が当たりとなる蓋然性を示す種々の予告が発生する可能性がある遊技機であって、前記報知演出の開始から所定時点までに発生する可能性がある予告として複数種の候補予告が設定されており、ある当否判定結果を報知する前記報知演出での前記候補予告の発生の状況を前記所定時点の経過後に表示する予告表示演出が実行可能であることを特徴とする。
【０００７】
上記本発明によれば、所定時点までの候補予告の発生の状況が予告表示演出によって示されることがあるため、実行された予告が分かりづらくなってしまうことによる遊技の趣向性低下を抑制することが可能である。
【０００８】
前記予告表示演出にて表示された前記候補予告の発生の状況を変化させた上で、当該変化に合わせて複数種の事後予告のうちのいずれかを発生させる予告変化演出が実行可能であるとよい。
【０００９】
このように、予告表示演出の内容を変化させた上で、その変化に合わせて事後予告が発生することがあるようにすることで、事後的な予告の発生を前もって示すものとして予告表示演出を利用することが可能である。
【００１０】
前記複数種の事後予告には、その基本的態様が対応する候補予告と同じである同種予告が含まれるようにするとよい。
また、前記複数種の事後予告には、その基本的態様が対応する候補予告と異なるものであって、当該対応する候補予告に相当するものであると遊技者が認識可能な代替予告が含まれるようにしてもよい。
【００１１】
このように、事後予告は、基本的態様が対応する候補予告と同じである同種予告とすることもできるし、（候補予告と同じ態様のものを実行することができないのであれば）候補予告に相当するものであると遊技者が認識可能な程度な代替予告とすることもできる。
【００１２】
遊技者に当否判定結果を示すための識別図柄が表示される主表示装置と、前記主表示装置とは異なる副表示装置と、を備え、前記副表示装置を用いた前記代替予告が発生する場合があるとよい。
【００１３】
予告表示演出後も主表示装置では種々の演出が実行されることになるから、（当該種々の演出の演出効果が低下しないよう）副表示装置を用いて代替予告が発生するようにするとよい。
【発明の効果】
【００１４】
本発明によれば、実行された予告が分かりづらくなってしまうことによる遊技の趣向性低下を抑制することが可能である。
【図面の簡単な説明】
【００１５】
【図１】本実施形態にかかる遊技機の正面図である。
【図２】（ａ）は主表示装置の主表示領域に表示される識別図柄および保留表示を示した図であり、（ｂ）は保留表示（当該変動表示を含む）の態様の一覧を示した図である。
【図３】リーチ状態が成立（ａ）した後に発生する可能性があるスーパーリーチ演出（ｂ）を示した図である。
【図４】（ａ）は予告表示演出を示した図であり、（ｂ）は予告表示演出にて表示される予告リストの詳細を示した図である。
【図５】擬似連続予告を説明するための図である。
【図６】（ａ）はリーチ状態を構成する各識別図柄と信頼度の関係を示した図であり、（ｂ）は各スーパーリーチ演出と信頼度の関係を示した図である。
【図７】特定画像予告を説明するための図である。
【図８】可動予告を説明するための図である。
【図９】書き換え演出を説明するための図である。
【図１０】予告表示演出（ａ）から予告変化演出（ｂ）への変化を示した図である。
【図１１】予告表示演出としての予告リストと予告変化演出としての予告リストが一緒に主表示領域に表示された状態を示した図である。
【図１２】第二種事後予告としての擬似連続予告が副表示装置にて実行されることを説明するための図である。
【発明を実施するための形態】
【００１６】
以下、本発明にかかる遊技機１の一実施形態について図面を参照して詳細に説明する。まず、図１を参照して遊技機１の全体構成について簡単に説明する。
【００１７】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１８】
遊技領域９０２には、主表示装置９１、始動入賞口９０４、大入賞口９０６、アウト口などが設けられている。かかる主表示装置９１の主表示領域９１１は、遊技盤９０に形成された開口９０１を通じて視認可能となる領域である。なお、主表示領域９１１の形状等は適宜変更可能である。
【００１９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２０】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００２１】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（以下、当否判定情報と称することもある）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留（保留情報）と称することもある）の最大の記憶数（最大保留数）は適宜設定することができる。本実施形態における記憶手段が記憶できる最大保留数は、一種の始動入賞口９０４につき四つである。記憶手段に記憶されている保留情報は、保留表示２０として主表示領域９１１に表示される（図２（ａ）参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００２２】
また、本実施形態では、既に当否判定結果を報知する演出が開始されている（後述する識別図柄１０の変動が開始されている）ものであって、当否判定結果の報知が完了していないものの存在を示す表示（以下、当該変動表示２０１と称することもある）がなされる。保留表示２０と当該変動表示２０１は、遊技者に区別することができるよう表示することが好ましい（本実施形態では、当該変動表示２０１の下方に「台座」のような画像を表示しておくことで、両者が容易に区別できるようにされている）。保留表示２０と当該変動表示２０１の態様を異ならせてもよい。なお、以下の説明においては、特に区別して説明する場合を除き、保留表示２０というときは、当該変動表示２０１を含めたものをいうものとする。このような当該変動表示２０１が表示されない構成としてもよい。
【００２３】
本実施形態における保留表示２０は、対応する当否判定結果を報知する演出が早いものから順（始動入賞口９０４に入賞したのが早いもの。いわゆる保留消化順）に左から並ぶように表示される。一定程度遊技を継続することで、遊技者は容易に当該順を把握することが可能である。
【００２４】
保留表示２０（本実施形態では当該変動表示２０１を含む）の態様として、当否判定結果が大当たりとなる蓋然性（いわゆる大当たり信頼度。以下単に信頼度と称することもある）が異なる複数種の態様が設定されている。本実施形態では、信頼度の低いものから順に、通常態様２０ｎ、第一特殊態様２１ｓ、第二特殊態様２２ｓ、第三特殊態様２３ｓが設定されており（図２（ｂ）参照）、各態様の差は保留表示２０の色で差別化されている。本実施形態では、通常態様２０ｎは白、第一特殊態様２１は青、第二特殊態様２２ｓは緑、第三特殊態様２３ｓは赤である。ただし、各態様の差をどのように設定するかや、態様の種類の数等は適宜変更可能である。
【００２５】
当否判定手段が行う当否判定結果は、公知の遊技機と同様に、主表示装置９１の主表示領域９１１に表示される識別図柄１０（図２（ａ）参照）の組み合わせによって遊技者に報知される。具体的には、複数種の識別図柄１０含む識別図柄群１０ｇ（左識別図柄群１０ｇＬ、中識別図柄群１０ｇＣ、右識別図柄群１０ｇＲ）が変動を開始し、最終的に各識別図柄群１０ｇから一の識別図柄１０が選択されて停止する。大当たりに当選している場合には各識別図柄群１０ｇから選択されて停止した識別図柄１０の組み合わせは所定の組み合わせ（例えば、同じ識別図柄１０の三つ揃い）となる。はずれである場合にはそれ以外（大当たりとなる組み合わせ以外）の組み合わせとなる。なお、各図においては、識別図柄１０を構成する「数字（文字）」のみを図示するが、当該数字とキャラクタ等が組み合わされた図柄を識別図柄１０として設定することができる。
【００２６】
また、本実施形態にかかる遊技機１は、主表示装置９１とは異なる副表示装置９２を備える（図１参照）。本実施形態では、主表示装置９１にて識別図柄１０の表示等の主要な演出が実行され、副表示装置９２にて主表示装置９１にて実行される演出を補う補助的な演出が実行される。副表示装置９２は可動するものであってもよい。
【００２７】
なお、遊技機１の枠体、遊技球を貯留する下皿や上皿など、本発明に関係のない遊技機１の構成要素は説明を省略する。これらについては公知の遊技機と同様の構造のものが適用できる。
【００２８】
上述したように、当否判定結果は、識別図柄１０の組み合わせによって報知される。識別図柄１０の変動開始から停止するまでの間に、対象の当否判定結果を報知するための一連の演出が実行される。公知の遊技機と同様に、当該一連の演出は、対象の当否判定結果が大当たりとなる蓋然性を示唆する種々の予告や演出を含む。これらの予告や演出は、図示されないサブ制御基板に設けられた演出制御用の回路によって制御される。本実施形態にかかる遊技機１は、対象の当否判定結果を報知する一連の演出の一部として、予告表示演出を実行することが可能である。以下、予告表示演出について説明する。
【００２９】
図４に示す予告表示演出は、対象の当否判定結果を報知する一連の報知演出中における所定時点までに発生し得る予告の発生の状況を表示する演出である。一連の報知演出は、対象の当否判定結果を報知するための識別図柄１０（識別図柄群１０ｇ）が変動を開始してから停止するまでの間であるから、識別図柄１０が変動を開始してから所定時点までに発生し得る予告の発生の状況を表示するものであるともいえる。識別図柄１０の変動開始から所定時点までの間の期間を特定期間と、その間に発生する可能性がある予告（予告表示演出の対象となる予告）を候補予告と称する。
【００３０】
本実施形態にかかる遊技機１は、対象の当否判定結果が大当たりとなる蓋然性が高まったことを示す演出であって、その演出の結末により当否判定結果を示す「スーパーリーチ演出」を実行することが可能である。本実施形態では、いわゆるリーチ状態（詳細は後述。図３（ａ）参照）が構築された場合に、スーパーリーチ演出（図３（ｂ）参照）が発生する可能性がある。かかるスーパーリーチ演出として複数種の演出が設定されていてもよい。本実施形態における上記「所定時点」は、スーパーリーチ演出の開始時点に設定されている。具体的には、この後実行されるスーパーリーチ演出の内容が表示された後、すなわちスーパーリーチ演出の実行が確定した時点である。スーパーリーチ演出は、対象の当否判定結果が大当たりとなる蓋然性が高まったことを示す演出であるから、毎回必ず発生するわけではない。したがって、予告表示演出は、所定条件（本実施形態ではスーパーリーチ演出が発生するという条件）を満たした場合に発生する演出であるということができる。なお、スーパーリーチ演出が発生する場合であっても、予告表示演出が発生しないことがある設定とすることを否定するわけではない。例えば、複数種のスーパーリーチ演出が設定された構成において、予告表示演出が発生するスーパーリーチ演出と、予告表示演出が発生しないスーパーリーチ演出が設定されたものとしてもよい。また、「所定時点」をどの時点に設定するかは適宜変更可能である。ただし、識別図柄１０の変動開始から所定時点までの間、すなわち特典期間中に複数種の候補予告が発生し得る設定である必要がある。
【００３１】
特定期間中に発生し得る候補予告は、信頼度を示唆するものであればどのようなものであってもよい。候補予告のタイプとしては、所定のタイミングで発生することもあれば発生しないこともある予告であって、発生することが信頼度の上昇に繋がる第一種候補予告（発生の有無が重要である予告）と、必ず発生する予告であって、その内容が重要である第二種候補予告と、発生するか否かが確定しておらず、発生した場合にはその予告の内容が重要となる第三種候補予告（第一種候補予告と第二種候補予告を組み合わせたような予告であるともいえる）が設定されている。予告表示演出は「予告の発生の状況」を表示するものであることを説明したが、かかる表示態様は、第一種候補予告および第三種候補予告については候補予告の発生の有無が、第二種候補予告および第三種候補予告（発生した場合）については候補予告の内容がわかるような表示態様をいうものとする。
【００３２】
本実施形態において候補予告として設定された予告は以下の通りである。なお、以下で説明する候補予告はあくまで例示である。以下に例示する予告の一部が候補予告として設定されていない構成としてもよいし、これ以外の候補予告が設定された構成としてもよい。
【００３３】
・保留予告
上述したように、本実施形態では、保留表示２０の態様として信頼度が異なる複数種の態様が設定されている（図２（ｂ）参照）。対象の当否判定結果に対応する保留表示２０、すなわち当該変動表示２０１の態様が、いずれの態様となったかが予告表示演出において示される。
【００３４】
本実施形態では、保留表示２０（当該変動表示２０１を含む）が、継続的に表示されるものである。一方、本実施形態とは異なり、予告表示演出が実行されるよりも前の所定のタイミングで、保留表示２０（当該変動表示２０１を含む）が表示されない状態とされる構成とすることが考えられる。具体的には、スーパーリーチ演出が発生するときには、当該演出の映像に対して保留表示２０が重ねて表示されないようにするため、保留表示２０が非表示とされる。このように保留表示２０が非表示とされてしまうと、遊技者は当該変動表示２０１の態様がどのようなものであったか忘れてしまうおそれがある。このような構成とする場合であっても、当該変動表示２０１が非表示となった後で、予告表示演出にて当該変動表示２０１がどのような態様であったかが表示されるため、（忘れてしまったとしても）再度遊技者が当該変動表示２０１の態様を確認することが可能である。
【００３５】
保留予告の具体的な態様はどのようなものであってもよい。何の前触れもなく保留表示２０（当該変動表示２０１）の態様が変化するような予告態様としてもよいし、保留表示２０（当該変動表示２０１）に作用する画像が表示され、その結果として態様が変化する可能性がある予告態様としてもよい。両予告態様が発生し得る構成としてもよい。つまり、公知の保留変化予告と同様の予告態様を適用することが可能である。
【００３６】
本実施形態のように当該変動表示２０１が必ず表示されるのであれば、保留予告は第二種候補予告であるといえる。当該変動表示２０１が必ず表示されるとは限られない設定とするのであれば、保留予告は第一種候補予告または第三種候補予告であるといえる。
【００３７】
・擬似連続予告
変動する識別図柄１０（識別図柄群１０ｇ）を擬似的に停止（図柄が完全に停止しておらずわずかに動いているような状態をいう。以下、単に擬似停止と称することもある）させた（図５（ａ）参照）後、再び変動する（図５（ｂ）参照）単位演出を一または複数回繰り返すものであって、その繰り返し回数によって信頼度を示唆する擬似連続予告が知られている。擬似連続予告それ自体は公知であるため詳細な説明を省略する。擬似連続予告は、一般的には繰り返し回数が多くなればなるほど信頼度は高くなる。擬似的に停止する識別図柄１０の組み合わせが所定の組み合わせ（いわゆるチャンス目）となったときに再度変動するような設定としてもよい。かかる擬似連続予告の回数が予告表示演出によって示される。なお、擬似連続予告の回数（擬似連数）は、単位演出が発生しなかった場合（擬似連続予告非発生と捉えることもできる）を１回、一度の単位演出が発生した場合を２回、二度の単位演出が発生した場合を３回・・・といったように、「単位演出の回数＋１」が擬似連続予告の回数となるように表示する。本実施形態では、最大の擬似連続予告の回数は４回である。
【００３８】
なお、本実施形態では候補予告として設定されていないが、公知の先読み予告が候補予告として設定された構成としてもよい。先読み予告は、対象の当否判定結果よりも前に報知が完了する当否判定結果（はずれ）を報知する識別図柄１０を所定の組み合わせ（いわゆるチャンス目）で停止させる等することで、対象の当否判定結果の信頼度が高まったことを示す演出である。
【００３９】
かかる擬似連続予告は第二種候補予告であるといえる。ただし、擬似連続予告の回数が「１」である演出態様を、擬似連続予告非発生と捉えるのであれば、擬似連続予告は第三種候補予告であるといえる。
【００４０】
・リーチ図柄予告
上述したように、本実施形態における予告表示演出は、スーパーリーチ演出が発生するときに発生する。スーパーリーチ演出は、いわゆるリーチ状態が構築されたときに発生する演出である。リーチ状態は、複数の識別図柄群１０ｇのうちの一部から選択された識別図柄１０が停止または擬似停止した状態において、未だ当否判定結果が大当たりとなる可能性が残されているものをいう。本実施形態では、左識別図柄群１０ｇＬと右識別図柄群１０ｇＲから選択されて停止または擬似停止した識別図柄１０が同じ識別図柄１０である状態をいう。つまり、中の識別図柄群１０ｇＣから選択された識別図柄１０がリーチ状態を構成する識別図柄１０と同じであれば大当たりとなる状態をいう。
【００４１】
本実施形態では、リーチ状態を構成する識別図柄１０の種類によって信頼度が変わるように設定されている。具体的には、「７」の識別図柄１０の信頼度が「３」の識別図柄１０の信頼度よりも高く設定され、「３」の識別図柄１０の信頼度がそれ以外（「３」「７」以外）の識別図柄１０の信頼度よりも高くなるように設定されている（図６（ａ）参照）。「３」「７」以外の識別図柄１０でリーチ状態が構成された場合が予告非発生（デフォルト）であると捉えることもできる。つまり、「３」または「７」の識別図柄１０でリーチ状態が構成された場合をリーチ予告が発生ものと捉えることもできる。
【００４２】
かかるリーチ図柄予告は第二種候補予告であるといえる。ただし、「３」「７」以外の識別図柄１０でリーチ状態が構成された場合を予告非発生と捉えるのであれば、リーチ図柄予告は第一種候補予告または第三種候補予告であるといえる。
【００４３】
・スーパーリーチ種類予告
上述したように、本実施形態における予告表示演出は、スーパーリーチ演出が発生するときに発生する。信頼度が異なる複数種のスーパーリーチ演出が設定された構成とする場合であって、予告表示演出がスーパーリーチ演出の種類が表示された後実行されるものとするのであれば、スーパーリーチ演出の種類の表示（図３（ｂ）参照）自体が信頼度を示す予告であるということになる。
【００４４】
本実施形態では、スーパーリーチ演出として、信頼度が異なるスーパーリーチ演出Ａ、スーパーリーチ演出Ｂ、スーパーリーチ演出Ｃの三種類が設定されており、いずれかのスーパーリーチ演出が実行されることになる。本実施形態では、スーパーリーチ演出Ａの信頼度が最も低く、スーパーリーチ演出Ｃの信頼度が最も高く設定されている（図６（ｂ）参照）。スーパーリーチ種類予告としては、このうちのいずれかの演出の種類が示される。かかるスーパーリーチ種類予告は第二種候補予告であるといえる。
【００４５】
・特定画像予告
主表示領域９１１に特定画像４０（静止画であっても動画であってもよい）が表示される予告である（図７参照）。当該特定画像４０が表示される可能性があるタイミングは一つのみ設定されていてもよいし、複数設定されていてもよい。特定画像４０の具体的な態様はどのようなものであってもよい。
【００４６】
かかる特定画像予告は、予告が発生しないことが基本態様（デフォルト）として設定された予告であるため、第一種候補予告であるといえる。信頼度が異なる複数種の特定画像４０が設定され、予告発生時に当該特定画像４０のうちのいずれかが表示される構成である場合には、特定画像予告は第三種候補予告であるといえる。
【００４７】
・可動予告
本実施形態にかかる遊技機１は、所定の範囲を動作可能な可動部材３０を備える。可動予告は、当該可動部材３０を動作させる予告である。可動部材３０の動作態様はどのようなものであってもよい。動作の途中でその形態が変化するものであってもよい。また、可動部材３０を動作させるための駆動機構はどのようなものであってもよい。本実施形態における可動部材３０は、原位置（図１参照）と演出位置（図８参照）との間を往復動作可能に設けられている。原位置は可動部材３０が遊技盤９０の後方に覆われる位置であり（図１参照）、演出位置は可動部材３０が遊技盤９０に形成された開口９０１を通じて視認可能となる位置である（図８参照）。可動予告発生時には原位置に位置する可動部材３０を演出位置に移動させる。
【００４８】
かかる可動予告は、予告が発生しないことが基本態様（デフォルト）として設定された予告であるため、第一種候補予告であるといえる。信頼度が異なる複数種の予告態様が設定された構成（例えば、可動部材３０に発光部が設けられ、発光部の発光色が異なる複数種の予告が設定された構成）であって、予告発生時に複数種の予告態様のうちのいずれかが実行される構成である場合には、可動予告は第三種候補予告であるといえる。
【００４９】
以上の候補予告が予告表示演出の対象として設定されている。本実施形態では、特定期間中における候補予告の発生の状況を図４（ｂ）のように示す。第一種候補予告は予告発生の有無が発生し得る状況のリスト（選択枝）として、第二種候補予告や第三種候補予告は予告の内容がリスト（選択枝）として表示され、いずれかにカーソルが合わされることにより特定期間中における候補予告の発生の状況が遊技者に把握できるようにされる。本実施形態における予告のリストは、右に位置する選択枝ほど信頼度が高いものとされている。したがって、遊技者は、発生の状況を示す各カーソルが右に位置するほど、対象の当否判定結果の総合的な信頼度が高い状況であることを容易に把握することが可能となる。
【００５０】
以上説明したように、本実施形態にかかる遊技機１によれば、所定時点までの候補予告の発生の状況が予告表示演出によって示されるため、実行された予告が分かりづらくなってしまうことによる遊技の趣向性低下を抑制することが可能である。
【００５１】
以下、予告表示演出を利用した予告変化演出について説明する。予告表示演出は、特定期間中に発生した候補予告の発生の状況を遊技者に伝えるものである一方、予告変化演出は、予告表示演出を利用して、特定期間後に発生する予告（事後予告）を遊技者に伝えるものである。本実施形態における予告変化演出は、予告表示演出発生時に必ず発生するわけではない。予告表示演出が発生したときの一部において発生する。以下では、予告表示演出の後に予告変化演出が発生した場合の演出の流れについて説明する。
【００５２】
予告変化演出は、予告表示演出にて表示された予告のリストに含まれる予告のうち、少なくともいずれかの内容を変化させる（書き換える）ものである（図１０参照）。本実施形態では、予告の内容が変化する可能性があることを示す演出（以下、書き換え演出と称する）が発生する。書き換え演出の結末としては、遊技者にとって有利な結末（以下、成功結末と称する）と不利な結末（以下、失敗結末と称する）が設定されており、成功結末となった場合に、少なくともいずれかの予告の内容が変化する。当該変化は、必ず遊技者によって有利な方向への変化となるよう設定されている。失敗結末となった場合には予告の内容は変化しない。書き換え演出の具体的な態様（表示される画像等の内容）はどのようなものであってもよい。本実施形態では、予告表示演出が実行されている（予告のリストが表示されている）最中に、副表示装置９２（副表示領域９２１）にて書き換え演出が発生し（図９（ａ）参照）、当該書き換え演出の結末が成功結末（図９（ｂ）参照）となった場合には予告変化演出が発生する一方、失敗結末（図９（ｃ）参照）となった場合には予告変化演出が発生しないように設定されている。
【００５３】
図示しないが、例えば、予告表示演出にて、保留予告の状況として、当該変動表示２０１の態様が第一特殊態様２１ｓであることが示されていたとする。その後、書き換え演出が成功結末となることにより、保留予告の内容が第一特殊態様２１ｓよりも遊技者にとって有利な第二特殊態様２２ｓに書き換えられる予告変化演出が発生したとする。この場合には、予告表示演出（予告変化演出）が発生する前の状態では当該変動表示２０１の態様は第一特殊態様２１ｓであったのであるから、予告変化演出の発生後、当該予告変化演出の内容に合わせるようにして事後演出を発生させる。つまり、第一特殊態様２１ｓであった当該変動表示２０１を第二特殊態様２２ｓに変化させる事後演出を発生させる。このように、予告変化演出は、当該演出後に発生する予告（事後予告）を前もって知らせるというものである。予告表示演出は、既に発生した予告を知らせるものであるのに対し、予告変化演出は、その後発生する予告を知らせる（予告変化演出にて示された予告がその後発生することが確定する）ものであるという点で両演出は相違する。さらにいえば、予告変化演出は、既に発生した予告を知らせるものである予告表示演出を利用して、その後発生する予告を知らせるという点において面白みのあるものであるといえる。
【００５４】
図１０に示すように、予告変化演出は、予告表示演出から継続的に実行されるようにすることが好ましい。つまり、予告表示演出にて示された候補予告の発生の状況を示す予告のリストは、表示領域９１１から消去されることなく予告変化演出にて示される事後予告の内容を示す予告のリストとして表示され続けるようにすることが好ましい。このようにすることで、予告のリストがどのように変化したか、すなわち事後予告として発生する予告がどのようなものかを容易に把握することが可能である。
【００５５】
また、図１１に示すように、予告変化演出として表示される予告のリストが、予告表示演出として表示された予告のリストとともに表示領域９１１に表示されるようにしてもよい。
【００５６】
また、予告変化演出にて示される予告のリストは、予告表示演出にて示された予告のリストから変化した箇所が分かるように構成されていることが好ましい。図１０に示すように、例えば、予告表示演出にて示された予告のリストにおいて、変化する対象の予告に×印を付した上で、予告変化演出にてその後の発生が示される事後予告がどのようなものとなるかが新たに示される構成とすればよい。このようにすることで、変化した予告を容易に把握することが可能である。
【００５７】
本実施形態では、予告表示演出として表示される複数の候補予告のうち、一部の候補予告についてのみ対応する事後予告が設定されている。つまり、事後的に変化する可能性がある予告は一部のみということである。本実施形態では、保留予告、擬似連続予告、可動予告について事後予告が設定されている。ただし、複数の候補予告の全てに対応する事後予告が設定されていてもよい。
【００５８】
予告変化演出によって発生が示される事後演出を大まかに区分けすると第一種事後予告と第二種事後予告に区分けされる。第一種事後予告（本発明における同種予告に相当する）は、予告の基本的態様が対応する候補予告と同じものである。ここで、事後予告と候補予告の基本的態様が同じであるとは、具体的な態様が完全に同じであることをいうわけではない。発生するタイミングが予告変化演出の発生前後で異なるということだけで、対応する関係にある事後予告と候補予告を遊技者が同一視できるようなものをいう。事後予告や候補予告として発生し得る具体的態様は、それぞれについて複数種設定されていてもよい。後述するように、第二種事後予告は、予告変化演出の発生後においては対応する候補予告と同じ基本的態様では発生させることが困難または不可能な予告である一方、第一種事後予告は、予告変化演出の発生後においても対応する候補予告と同じ基本的態様で発生させることが可能な予告であるといえる。
【００５９】
一方、第二種事後予告（本発明における代替予告に相当する）は、基本的態様が対応する候補予告と異なるものであって、当該対応する候補予告に相当するものであると遊技者が認識可能なものである。予告変化演出の発生後において候補予告と同様の基本的態様にて実行することができない予告については、候補予告と同じ態様で実行するのではなく、それに代わるものであることが遊技者に認識可能となるようにしたということである。
【００６０】
予告変化演出の対象である複数種の予告（予告表示演出の対象でもある）のうち、どれを第一種事後予告とするか、第二種事後予告とするかは予告の形態を踏まえて設定される。本実施形態では、第一種事後予告として、保留予告と可動予告が、第二種事後予告として、擬似連続予告が設定されている。
【００６１】
保留予告や可動予告を第一種事後予告とする理由は次の通りである。保留予告は、当該変動表示２０１の態様を変化させるものであるから、予告変化演出後に事後予告として保留予告を実行する際にも表示されている当該変動表示２０１の態様を候補予告と同様に変化させることができる。つまり、当該変動表示２０１は予告変化演出前と同様に表示されているのであるから、かかる当該変動表示２０１を変化させる基本的な事後予告の態様は候補予告と同じとすることができる。可動予告は、可動部材３０を動作させる予告であるから、事後予告としての可動予告を実行する場合であっても、候補予告としての可動予告と基本的な態様を同じにすることができる。
【００６２】
擬似連続予告を第二種事後予告とする理由は次の通りである。上述したように、擬似連続予告は、識別図柄１０を擬似的に停止させた後再び変動させる単位演出を複数回繰り返すものであるところ、予告変化演出発生の基となる予告表示演出は、リーチ状態が構築されたときに発生するものであるから、主表示装置９１において当該リーチ状態を崩すようにして擬似連続予告を再び発生させると遊技者が違和感を覚えてしまうため第二種事後予告とする。
【００６３】
本実施形態では、候補予告としての擬似連続予告に対応する事後予告は、副表示装置９２を用いたものとする。つまり、主表示装置９１においては、既に対象の当否判定結果を報知するための主の演出（スーパーリーチ演出）が実行されていたりするから、かかる主表示装置９１にて実行されている演出の邪魔にならないよう、副表示装置９２（副表示領域９２１）にて擬似連続予告に対応する事後予告が実行される（図１２参照）。
【００６４】
例えば、候補予告としての擬似連続予告の回数が２回であることが示された後、事後予告として擬似連続予告の回数が３回に変化した場合（図１０に示したような態様の予告表示演出から予告変化演出への変化が生じた場合）には、副表示装置９２にて識別図柄１０または識別図柄１０に相当するものであることが遊技者に認識可能な図柄を変動させる（図１２（ｂ）〜（ｄ）参照）ことで、擬似連続予告の回数が増加したことを遊技者に示す。つまり、予告変化演出にて擬似連続予告の回数が１回増加したという点が示されたことと整合性をとるための予告を副表示装置９２にて実行する。このように、第二種事後予告としての擬似連続予告は、少なくとも副表示装置９２にて実行されるという点において、候補予告としての擬似連続予告と基本的態様が異なるものであるといえる。
【００６５】
なお、上述したような第一種事後予告と第二種事後予告の区分け手法はあくまで一例である。例えば、可動予告を第二種事後予告として設定してもよい。予告変化演出後に可動部材３０を稼働させてしまうと実行されている演出（本実施形態ではスーパーリーチ演出）の邪魔になってしまうから、候補演出としての可動予告とは基本的態様が異なるものとしてもよい。例えば、副表示装置９２に可動部材３０が動作したことを示すかのような映像や文字等を示すことを、事後予告としての可動予告としてもよい。
【００６６】
また、第二種事後予告は、必ず副表示装置９２にて発生するようにしなければならないわけではない。主表示装置９１にて実行される演出の邪魔にならないようにして第二種事後予告が発生するようにしてもよい。
【００６７】
同じ予告が候補予告として発生した場合と、事後予告として発生した場合とでは、対象の当否判定結果が大当たりとなる蓋然性が異なるものとしてもよい。例えば、当該変動表示２０１が候補予告として第三特殊態様２３ｓとなった場合（特定期間中に第三特殊態様２３ｓとなった場合）と、事後予告として第三特殊態様２３ｓとなった場合とでは、信頼度が異なる設定とする。
【００６８】
候補予告と事後予告のどちらの信頼度を高くしてもよい。ある予告については候補予告として発生した方が信頼度は高いが、別の予告については事後予告として発生した方が信頼度は高いといった設定としてもよい。ただし、一般的には後半にいくにつれて遊技者の期待を高めていくように設定した方が最後まで目が離せない面白い遊技性を実現することができるという点に鑑みれば、後半に発生する事後予告の信頼度を前半に発生する候補予告よりも高く設定するとよい。
【００６９】
以上、本発明の実施の形態について詳細に説明したが、本発明は上記実施の形態に何ら限定されるものではなく、本発明の要旨を逸脱しない範囲で種々の改変が可能である。
【符号の説明】
【００７０】
１  遊技機
１０  識別図柄
２０  保留表示
２０１  当該変動表示
２０ｎ  通常態様
２１ｓ  第一特殊態様
２２ｓ  第二特殊態様
２３ｓ  第三特殊態様
３０  可動部材
４０  特定画像
９１  主表示装置
９１１  主表示領域
９２  副表示装置
９２１  副表示領域
【図１】
2018082946.tif 000003
【図２】
2018082946.tif 000004
【図３】
2018082946.tif 000005
【図４】
2018082946.tif 000006
【図５】
2018082946.tif 000007
【図６】
2018082946.tif 000008
【図７】
2018082946.tif 000009
【図８】
2018082946.tif 000010
【図９】
2018082946.tif 000011
【図１０】
2018082946.tif 000012
【図１１】
2018082946.tif 000013
【図１２】
2018082946.tif 000014